(57)【要約】  本開示は、電子機器、無線通信方法、及びコンピュータ読み取り可能な媒体に関する。一実施例による無線通信のための電子機器は処理回路を含む。処理回路は、アンライセンスバンド上の予め割り当てられた複数のリソースブロックから自動アップリンク伝送に使用するリソースブロックを選択し、選択されたリソースブロックを利用して自動アップリンク伝送を行うように、制御を実行する、ように配置される。
2021523587.tif 000002
【特許請求の範囲】
【請求項１】
処理回路を含む無線通信のための電子機器であって、
前記処理回路は、
アンライセンスバンド上の予め割り当てられた複数のリソースブロックから自動アップリンク伝送に使用するリソースブロックを選択し、
選択されたリソースブロックを利用して前記自動アップリンク伝送を行うように、制御を実行する、ように配置される電子機器。
【請求項２】
前記処理回路は、
前記複数のリソースブロックのそれぞれの優先度を決定し、決定された優先度に基づいて、前記自動アップリンク伝送に使用するリソースブロックを選択するように配置される請求項１に記載の電子機器。
【請求項３】
前記処理回路は、
複数のタイプのアップリンクサービスのそれぞれについて、前記優先度をそれぞれ決定し、決定された優先度に基づいて、相応するタイプのアップリンクサービスに使用するリソースブロックを選択するように配置される請求項２に記載の電子機器。
【請求項４】
前記複数のタイプのアップリンクサービスは、時間遅延及び／又は伝送データ量に関して異なる要求を有するアップリンクサービスを含む請求項３に記載の電子機器。
【請求項５】
前記複数のタイプのアップリンクサービスは、超高信頼・低遅延通信ＵＲＬＬＣサービスと、拡張モバイルブロードバンドｅＭＢＢサービスとを含む請求項３に記載の電子機器。
【請求項６】
前記処理回路は、
ＵＲＬＬＣサービスについて、低い時間遅延を有するリソースブロックに高い優先度を設置し、
ｅＭＢＢサービスについて、大きいリソースブロックに高い優先度を設置する、ように配置される請求項５に記載の電子機器。
【請求項７】
前記処理回路は、
ＵＲＬＬＣサービスについて、小さい最大チャネル占有時間ＭＣＯＴを有するリソースブロックに高い優先度を設置するように配置される請求項６に記載の電子機器。
【請求項８】
前記処理回路は、
前記複数のリソースブロックのそれぞれに対して第１のリッスンビフォアトークを行い、前記第１のリッスンビフォアトークの結果に基づいて前記優先度を決定するように配置される請求項２に記載の電子機器。
【請求項９】
前記処理回路は、さらに、
選択されたリソースブロックを利用してアップリンク伝送を行う前に、選択されたリソースブロックに対して第２のリッスンビフォアトークを行うように配置される請求項８に記載の電子機器。
【請求項１０】
前記処理回路は、さらに、
前記第２のリッスンビフォアトークが失敗した場合、又は、アップリンク伝送が失敗した場合、選択されたリソースブロックよりも優先度が低い別のリソースブロックを利用してアップリンク伝送を行う、ように配置される請求項９に記載の電子機器。
【請求項１１】
前記処理回路は、さらに、
異なるタイプのアップリンクサービスについて、前記第２のリッスンビフォアトークに異なる開始タイミングを設置するように配置される請求項９に記載の電子機器。
【請求項１２】
前記処理回路は、
ＵＲＬＬＣサービスに用いられる前記第２のリッスンビフォアトークの開始タイミングを、ｅＭＢＢサービスに用いられる前記第２のリッスンビフォアトークの開始タイミングよりも早く設置するように配置される請求項１１に記載の電子機器。
【請求項１３】
前記複数のリソースブロックは、基地局によって複数のユーザ機器に共同で割り当てられる請求項１に記載の電子機器。
【請求項１４】
前記複数のリソースブロックは、基地局によって無線リソース制御シグナリングを介して割り当てられる請求項１３に記載の電子機器。
【請求項１５】
無線通信方法であって、
アンライセンスバンド上の予め割り当てられた複数のリソースブロックから自動アップリンク伝送に使用するリソースブロックを選択し、
選択されたリソースブロックを利用して前記自動アップリンク伝送を行う、ことを含む無線通信方法。
【請求項１６】
処理回路を含む無線通信のための電子機器であって、
前記処理回路は、
複数のユーザ機器にアンライセンスバンド上の複数のリソースブロックを共同で割り当て、
前記複数のユーザ機器のうちの１つが前記複数のリソースブロックの中から選択されたリソースブロックを利用して行うアップリンク伝送を受信するように、制御を実行する、ように配置され、
前記複数のリソースブロックは、自動アップリンク伝送に用いられる電子機器。
【請求項１７】
前記処理回路は、
無線リソース制御シグナリングを介して前記複数のユーザ機器に前記複数のリソースブロックを通知するように、制御を実行するように配置される請求項１６に記載の電子機器。
【請求項１８】
前記処理回路は、さらに、
割り当てられた前記複数のリソースブロックのそれぞれに優先度を指定し、決定された優先度を前記複数のユーザ機器に通知するように配置される請求項１６に記載の電子機器。
【請求項１９】
前記処理回路は、さらに、
前記複数のリソースブロックを決定し、決定された複数のリソースブロックに、時間遅延及び／又は伝送データ量に関して異なる要求を有するアップリンクサービスにそれぞれ適用するリソースブロックを含ませるように配置される請求項１６に記載の電子機器。
【請求項２０】
無線通信方法であって、
複数のユーザ機器にアンライセンスバンド上の複数のリソースブロックを共同で割り当て、
前記複数のユーザ機器のうちの１つが前記複数のリソースブロックの中から選択されたリソースブロックを利用して行うアップリンク伝送を受信する、ことを含み、
前記複数のリソースブロックは、自動アップリンク伝送に用いられる、無線通信方法。
【請求項２１】
情報処理装置によって実行される場合、前記情報処理装置に請求項１５又は２０に記載の方法を実行させる実行可能な命令を含むコンピュータ読み取り可能な媒体。
【発明の詳細な説明】
【技術分野】
【０００１】
本開示は、一般に、無線通信の分野に関し、より具体的に、ユーザ機器側と基地局側に用いられる電子機器、無線通信方法、及びコンピュータ読み取り可能な媒体に関する。
【背景技術】
【０００２】
自動アップリンク伝送（ＡＵＬ）とは、データパケットがユーザに届く前に、伝送のために、基地局が予めユーザ機器（ＵＥ）にリソースを割り当てて、伝送すべきデータパケットがある場合、ユーザ機器が基地局からリソースを要求する必要がないことを指す。
【０００３】
アンライセンスバンドで作動するＵＥは、チャネル上でリッスンビフォアトーク（ＬＢＴ）を行い、同時に、チャネルがアイドルの際にチャネル上で自動アップリンク伝送を実行する。自動アップリンク伝送は、復号化を実現するための制御情報を含むので、基地局は、それらの制御情報を受信し、自動アップリンク伝送の残りの部分を復号化する。無線リンクが確立された後、基地局は、ＵＥの自動アップリンク伝送を配置し、同時に、動的な配置情報も送信して自動アップリンク伝送のパラメータを初期化、中断、又は再配置する。
【０００４】
自動アップリンク伝送は、リソースの要求及びスケジューリングに関するシグナリングオーバーヘッドを低減可能であり、伝送量が少ない場合に、この利点は特に顕著である。また、自動アップリンク伝送は、リソースの割り当てを待つことによる時間遅延を短縮するとともに、伝送の有効性を増強させることができる。
【発明の概要】
【発明が解決しようとする課題】
【０００５】
アンライセンスバンドで、従来のようにＡＵＬを適用する場合、小さい時間遅延を確保するために、事前にユーザにリソースを割り当てる必要があり、これにより、時間遅延の要求が高いサービスの信頼性を確保するようになる。しかしながら、同時に、現在あるリソースブロックを割り当てたユーザが送信すべきデータパケットを持たない場合もある。リソースを事前に割り当てたため、アイドルリソースブロックは、他のユーザが使用してデータを伝送することができず、スペクトルの利用率がある程度低くなる問題となる。
【０００６】
また、従来の形態によれば、リソースはランダムに割り当てられるので、割り当てられたリソースは、必ずしもユーザの現在のデータ伝送サービスに適合しない場合があり、これにより、データ伝送の信頼性を確保することができない場合がある。
【０００７】
上記の技術的問題の少なくとも一部について、本発明を提案する。
【０００８】
以下では、本発明に関する簡単な概説を提供し、本発明のある局面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、ある概念を提供して、後論述するより詳しい技術の前言とするものである。
【課題を解決するための手段】
【０００９】
一実施例によれば、無線通信のための処理回路は電子機器を含む。処理回路は、アンライセンスバンド上の予め割り当てられた複数のリソースブロックの中から自動アップリンク伝送に使用するリソースブロックを選択し、選択されたリソースブロックを利用して自動アップリンク伝送を行うように、制御を実行するように配置される。
【００１０】
他の一実施例によれば、無線通信方法は、アンライセンスバンドの予め割り当てられた複数のリソースブロックの中から自動アップリンク伝送に使用するリソースブロックを選択し、選択されたリソースブロックを利用して自動アップリンク伝送を行う、ことを含む。
【００１１】
更なる一実施例によれば、無線通信のための電子機器は処理回路を含む。処理回路は、複数のユーザ機器にアンライセンスバンド上の複数のリソースブロックを共同で割り当てるように配置され、複数のリソースブロックは、自動アップリンク伝送に用いられる。処理回路は、さらに、複数のユーザ機器のうちの１つが複数のリソースブロックから選択したリソースブロックを利用して行うアップリンク伝送を受信するように、制御を実行するように配置される。
【００１２】
更なる一実施例によれば、無線通信方法は、複数のユーザ機器にアンライセンスバンド上の複数のリソースブロックを共同で割り当て、複数のユーザ機器のうちの１つが複数のリソースブロックから選択したリソースブロックを利用して行うアップリンク伝送を受信することを含み、複数のリソースブロックは、自動アップリンク伝送に用いられる。
【００１３】
本発明の実施例は、情報処理装置によって実行される場合、情報処理装置に上記実施例による方法を実行させる実行可能な命令を含むコンピュータ読み取り可能な媒体をさらに含む。
【００１４】
本発明の実施例は、スペクトル利用率の改善に寄与する。
【図面の簡単な説明】
【００１５】
本発明は、以下に図面と合わせて記載された説明を参照することによりよく理解できる。なお、全ての図面において、同一又は類似する部品を同一又は類似する符号で示している。前記図面は以下の詳細説明と共に本明細書に含まれ本明細書の一部として構成されており、更に例を挙げることにより本発明の好適な実施例を説明し、本発明の原理と利点を解釈する。図面において、
【００１６】
【図１】図１は、本発明の一実施例による、無線通信のための電子機器の構成例を示すブロック図である。
【図２】図２は、他の一実施例による、無線通信のための電子機器の構成例を示すブロック図である。
【図３】図３は、更なる一実施例による、無線通信のための電子機器の構成例を示すブロック図である。
【図４】図４は、本発明の一実施例による、無線通信方法の手順例を示すフローチャートである。
【図５】図５は、本発明の一実施例による、無線通信のための電子機器の構成例を示すブロック図である。
【図６】図６は、他の一実施例による、無線通信のための電子機器の構成例を示すブロック図である。
【図７】図７は、本発明の一実施例による、無線通信方法の手順例を示すフローチャートである。
【図８】図８は、リソース割り当て方式を説明するための模式図である。
【図９】図９は、リソース割り当て方式を説明するための模式図である。
【図１０】図１０は、本開示の方法及び装置を実現するコンピュータの概略的構成を示すブロック図である。
【図１１】図１１は、本開示の内容を応用できるスマートフォンの概略的構成を示すブロック図である。
【図１２】図１２は、本開示の内容を応用できるｇＮＢ（５Ｇシステムにおける基地局）の概略的構成を示すブロック図である。
【発明を実施するための形態】
【００１７】
以下、図面を参照しながら本発明の実施例を説明する。本発明の一つの図面又は一実施形態に記載の要素及び特徴は、一つ又はより多くのその他の図面又は実施形態に示された要素及び特徴と相互に結合することができる。なお、明確にするように、図面及び明細書において本発明に関係しない、当業者にとって公知の部品及び処理の表示及び記載が省略されたことを注意すべきである。
【００１８】
図１に示すように、本実施例による無線通信のための電子機器１００は処理回路１１０を含む。処理回路１１０は、例えば、特定のチップ、チップセット又はＣＰＵ（Ｃｅｎｔｒａｌ  Ｐｒｏｃｅｓｓｉｎｇ  Ｕｎｉｔ）などとして実現されてもよい。
【００１９】
処理回路１１０は、選択ユニット１１１と、制御ユニット１１３とを含む。なお、図面において機能ブロックの形で、選択ユニット１１１と制御ユニット１１３とを示したが、各ユニットの機能は、処理回路により全体として実現することもでき、処理回路における独立した実際の部品により実現されるとは限らないと理解される。また、図面に一つのブロックで処理回路を示したが、電子機器は、複数の処理回路を含んでもよく、各ユニットの機能を複数のプロセッサに分散することができ、これにより、複数の処理回路は連携しながら操作してこれらの機能を実行するようになる。
【００２０】
選択ユニット１１１は、アンライセンスバンド上の予め割り当てられた複数のリソースブロック（例えば、Ｂａｎｄｗｉｄｔｈ  Ｐａｒｔ）から自動アップリンク伝送に使用するリソースブロックを選択するように配置される。
【００２１】
制御ユニット１１３は、選択ユニット１１１により選択されたリソースブロックを利用して自動アップリンク伝送を行うように、制御を実行するように配置される。
【００２２】
一実施例によれば、複数のリソースブロックは、基地局によって複数のユーザ機器に共同で割り当てられる。例えば、基地局は、無線リソース制御（ＲＲＣ）シグナリングを介して複数のリソースブロックを割り当てもよい。リソースブロックの分割は、例えば、ネットワーク層により完了される。
【００２３】
図８に示すように、ＵＥ１とＵＥ２は同じな複数のリソースブロックに割り当てられて、あるリソースブロックが事前に１つのＵＥにのみ割り当てられたがこの際に伝送すべきデータパケットがないことによってリソースの利用率が高くないという場合を減少する。
【００２４】
上記の実施例を基に、全てのアイドルリソースブロックを区分するために、あるリソースブロックが、ＵＥがデータパケットを伝送しようとするサービスニーズを満たすかどうかに応じて、現在の全てのアイドルリソースブロックに優先度を割り当てることができる。伝送サービスが変化したと、それに伴い、優先度も変化する。ＵＥは、その中から優先度の高いリソースブロックを優先的に選択できるので、ＵＥのために、よりその伝送モードに適したリソースブロックを選択することができる。
【００２５】
図２は、他の一実施例による、無線通信のための電子機器の構成例を示す。
【００２６】
本実施例による電子機器２００は処理回路２１０を含み、処理回路２１０は、選択ユニット２１１と、制御ユニット２１３と、決定ユニット２１５とを含む。選択ユニット２１１と制御ユニット２１３は、以上で説明された選択ユニット１１１と制御ユニット１１３と類似する。
【００２７】
決定ユニット２１５は、複数のリソースブロックのそれぞれの優先度を決定するように配置される。
【００２８】
選択ユニット２１１は、決定ユニット２１５により決定された優先度に基づいて、自動アップリンク伝送に使用するリソースブロックを選択する。
【００２９】
一実施例によれば、決定ユニット２１５は、複数のタイプのアップリンクサービスのそれぞれについて、優先度をそれぞれ決定するように配置され、そして、選択ユニット２１１は、決定ユニット２１５により決定された優先度に基づいて、相応するタイプのアップリンクサービスに使用するリソースブロックを選択する。
【００３０】
図９は、非連続リソースブロック上で異なるサービスをキャリアするＵＥの優先度を有するリソースブロックの対応方式の模式図を示す。
【００３１】
また、複数のタイプのアップリンクサービスは、時間遅延及び／又は伝送データ量に関して異なる要求を有するアップリンクサービスを含んでもよい。例えば、複数のタイプのアップリンクサービスは、超高信頼・低遅延通信（ＵＲＬＬＣ）サービスと拡張モバイルブロードバンド（ｅＭＢＢ）サービスを含んでもよい。
【００３２】
それに対応して、決定ユニット２１５は、ＵＲＬＬＣサービスについて、低い時間遅延を有するリソースブロックに高い優先度を設置し、ｅＭＢＢサービスについて、大きいリソースブロックに高い優先度を設置するように配置されてもよい。
【００３３】
図９の例において、ＵＥ１がＵＲＬＬＣサービスで、ＵＥ２がｅＭＢＢサービスであると想定されると、その中の数字は、ＵＥがリソースブロックに対応して割り当てる優先度を示す。ｅＭＢＢ伝送モードでのデータパケットは一般に大きいため、伝送ニーズを満たすために、１つのｅＭＢＢのデータパケットは１つの大きいリソースブロック又は複数の連続するリソースブロックに割り当てられる必要がある可能性がある。また、ＵＲＬＬＣのデータパケットがｅＭＢＢのデータパケットよりも小さいため、ＵＲＬＬＣに割り当てられるリソースブロックもｅＭＢＢに割り当てられるリソースブロックよりも小さい。
【００３４】
リソースブロックの優先度は、主に、伝送能力を反映するために用いられる。例えば、ＵＲＬＬＣについて、一般、より低い伝送及び再伝送の時間遅延を必要とし、ｅＭＢＢについて、一般的に、大きいリソースブロックを必要とする。
【００３５】
また、チャネルがアクセスするＭＣＯＴは、伝送及び再伝送に関するので、一般、ＭＣＯＴが小さいほど、時間遅延が低くなる。従って、ＵＲＬＬＣサービスについて、優先度もアップリンクリンクチャネルがアクセスするＭＣＯＴに関してもよい。
【００３６】
それに対応して、一実施例によれば、ＵＲＬＬＣサービスについて、決定ユニット２１５は、小さい最大チャネル占有時間ＭＣＯＴを有するリソースブロックに高い優先度を設置するように配置されてもよい。
【００３７】
また、優先度は、ＵＥが各リソースブロック上でＬＢＴを行ったフィードバックに応じて決定されてもよい。
【００３８】
図３は、他の一実施例による、無線通信のための電子機器の構成例を示す。
【００３９】
本実施例による電子機器３００は処理回路３１０を含み、処理回路３１０は、選択ユニット３１１と、制御ユニット３１３と、決定ユニット３１５と、ＬＢＴユニット３１７とを含む。選択ユニット３１１、制御ユニット３１３及び決定ユニット３１５は、以上で説明された選択ユニット２１１、制御ユニット２１３及び決定ユニット２１５と類似する。
【００４０】
ＬＢＴユニット３１７は、複数のリソースブロックのそれぞれに対して第１のリッスンビフォアトークを行うように、制御を実行するように配置される。決定ユニット３１５は、第１のリッスンビフォアトークの結果に基づいて複数のリソースブロックの優先度を決定するように配置される。
【００４１】
例えば、ｅＭＢＢやＵＲＬＬＣについて、リソース優先度は、主に、対応するリソース上のＬＢＴフィードバックに関し、つまり、事前に割り当てられたリソースが半活性状態にあり、ＬＢＴが最も早く完了するリソースブロックの優先度は１であり（最高優先度）、複数のＬＢＴが同時に完了すると、データパケットのサイズに応じてその中の一つを選択する。
【００４２】
ＵＲＬＬＣの時間遅延の要求を満たすために、ＵＲＬＬＣに割り当てられるリソースブロックのＭＣＯＴは小さい必要があるので、サービスがＵＲＬＬＣとして決定される場合、サービスのタイプに応じて、対応するチャネルがアクセスする優先度を決定し、これにより、ＬＢＴを行う各種のパラメータを決定し、さらに、これらのパラメータに応じてＬＢＴを行う。全てのアイドルリソースブロックについて、ＬＢＴが最も早く完了するリソースブロックの優先度は最も高く、これは、低い時間遅延を意味する。ｅＭＢＢサービスについて、その優先度は、データパケットのサイズ及びＬＢＴのフィードバックによって決定されてもよい。
【００４３】
一実施例によれば、ＬＢＴユニット３１７は、さらに、選択されたリソースブロックを利用してアップリンク伝送を行う前に、選択されたリソースブロックに対して第２のリッスンビフォアトークを行うように配置されてもよい。
【００４４】
また、選択ユニット３１１は、さらに、第２のリッスンビフォアトークが失敗した場合、又は、アップリンク伝送が失敗した場合、アップリンク伝送を行うために、先に選択されたリソースブロックよりも優先度が低い別のリソースブロックを選択するように配置されてもよい。
【００４５】
また、ＬＢＴユニット３１７は、さらに、異なるタイプのアップリンクサービスについて、第２のリッスンビフォアトークに異なる開始タイミングを設置するように配置されてもよい。
【００４６】
より具体的に、ＬＢＴユニット３１７は、ＵＲＬＬＣサービスに用いられる第２のリッスンビフォアトークの開始タイミングを、ｅＭＢＢサービスに用いられる第２のリッスンビフォアトークの開始タイミングよりも早く設置するように配置されてもよい。
【００４７】
例えば、あるアイドルリソースブロックが同時にＵＲＬＬＣとｅＭＢＢとの二つの伝送モードをキャリアする複数のＵＥのリソースが事前に割り当てられた状態である場合、ＵＲＬＬＣの優先度が高いので、このリソースブロックは、最終的に、ＵＲＬＬＣサービスをキャリアするＵＥに優先的に割り当てられて使用する。このようなメカニズムを実現するために、ＵＲＬＬＣサービスに対するＬＢＴの開始時間はｅＭＢＢサービスよりも早くすることができる。同一のタイプのサービス（例えば、ＵＲＬＬＣサービスのみ、又は、ｅＭＢＢサービスのみ）をキャリアするＵＥが複数ある場合でも、このようなリソース優先度は使用でき、この場合、これらのＵＥによるチャネルへのアクセスを試行する順序に応じて、どのＵＥによるチャネルへのアクセスに成功するかを判断し、優先度が高いチャネルに優先的にアクセスし、このチャネルへのアクセスに成功しなかったＵＥは、優先度が二番目に高いリソースブロックへのアクセスを再試行し続ける。
【００４８】
以上で本発明の実施例による電子機器の記述で、明らかに幾つかのプロセスと方法も開示される。次に、以上で記述された詳細を重複しない場合に、本発明の実施例による無線通信方法について説明する。
【００４９】
図４に示すように、一実施例による無線通信方法は以下のステップを含む。
【００５０】
Ｓ４１０において、アンライセンスバンド上の予め割り当てられた複数のリソースブロックの中から自動アップリンク伝送に使用するリソースブロックを選択する。
【００５１】
Ｓ４２０において、選択されたリソースブロックを利用して自動アップリンク伝送を行う。
【００５２】
本発明の実施例は、前記のように、ユーザ機器側に実施されてもよい。また、本発明の実施例は基地局側に実施されてもよい。
【００５３】
図５に示すように、一実施例による無線通信のための電子機器５００は処理回路５１０を含む。処理回路５１０は、割り当てユニット５１１と、制御ユニット５１３とを含む。
【００５４】
割り当てユニット５１１は、複数のユーザ機器にアンライセンスバンド上の複数のリソースブロックを共同で割り当てるように配置され、複数のリソースブロックは、自動アップリンク伝送に用いられる。
【００５５】
制御ユニット５１３は、複数のユーザ機器のうちの１つが複数のリソースブロックの中から選択したリソースブロックを利用して行うアップリンク伝送を受信するように、制御を実行するように配置される。
【００５６】
また、制御ユニット５１３は、さらに、無線リソース制御シグナリングを介して複数のユーザ機器に複数のリソースブロックを通知するように、制御を実行するように配置されてもよい。
【００５７】
割り当てユニット５１１は、さらに、前記複数のリソースブロックを決定し、決定された複数のリソースブロックに、時間遅延及び／又は伝送データ量に関して異なる要求を有するアップリンクサービスにそれぞれ適用するリソースブロックを含ませるように配置されてもよい。
【００５８】
ＵＥは、異なるリソースブロックが異なる伝送結果に対応する。全てのアイドルリソースブロックのスペクトル状態が異なる場合、ＵＥにランダムに割り当てられたリソースブロックがその伝送ニーズを十分に満たすことができない場合があり得る。例えば、このＵＥが伝送しようとするデータパケットはＵＲＬＬＣサービスである場合、割り当てられるリソースブロックの時間遅延が高く、この場合、このリソースブロックはほとんど伝送に使用することができない。また、アンライセンスバンドリソースブロックが小さく非連続であるため、異なるサービスをキャリアする複数のＵＥが同時にリソースを事前に割り当てる必要がある場合、アイドルリソースブロックのすべてはすべての伝送ニーズを満たすわけではない。
【００５９】
異なる要求を有するアップリンクサービスに適用するリソースブロックを提供することで、ＵＥは、より現在の伝送に適したリソースブロックを選択することができ、これにより、伝送の信頼性を確保する。
【００６０】
図６は、他の一実施例による、無線通信のための電子機器の構成例を示す。
【００６１】
本実施例による電子機器６００は処理回路６１０を含む。処理回路６１０は、割り当てユニット６１１と、制御ユニット６１３と、指定ユニット６１５とを含む。割り当てユニット６１１及び制御ユニット６１３の配置は、以上で説明された割り当てユニット５１１及び制御ユニット５１３と類似する。
【００６２】
指定ユニット６１５は、割り当てられた複数のリソースブロックのそれぞれに優先度を指定するように配置される。また、制御ユニット６１３は、さらに、決定された優先度を複数のユーザ機器に通知するように、制御を実行するように配置される。
【００６３】
図７は、一実施例による無線通信方法の手順例を示す。
【００６４】
この方法はＳ７１０を含み、Ｓ７１０において、複数のユーザ機器にアンライセンスバンド上の複数のリソースブロックを共同で割り当て、複数のリソースブロックは、自動アップリンク伝送に用いられる。
【００６５】
この方法はＳ７２０をさらに含み、Ｓ７２０において、複数のユーザ機器のうちの１つが複数のリソースブロックから選択したリソースブロックを利用して行うアップリンク伝送を受信する。
【００６６】
本発明の実施例は、情報処理装置によって実行される場合、情報処理装置に上記の実施例による方法を実行させる実行可能な命令を含むコンピュータ読み取り可能な媒体をさらに含む。
【００６７】
例として、上記方法の各ステップ及び上記装置の各組立モジュール及び／又はユニットはソフトウェア、ファームウェア、ハードウェア又はその組み合わせとして実施してもよい。ソフトウェア或いはファームウェアで実現する場合、記憶媒体或いはネットワークから専用ハードウェア構造を有するコンピュータ（例えば図１０に示す汎用パーソナルコンピューター１０００）に上記方法を実施するためのソフトウェアを構成するプログラムをインストールし、当該コンピュータは各種のプログラムがインストールされた場合、各種の機能等を実行できる。
【００６８】
図１０において、演算処理ユニット（即ち、ＣＰＵ）１００１は、読取専用メモリ（ＲＯＭ）１００２に記憶されているプログラム或いは記憶部１００８からランダムアクセスメモリ（ＲＡＭ）１００３にロードしたプログラムに従って各種の処理を実行する。ＲＡＭ１００３にも、必要に応じてＣＰＵ１００１が各種の処理等を実行する際に必要なデータが記憶される。ＣＰＵ１００１、ＲＯＭ１００２、ＲＡＭ１００３はバス１００４を介して互いにリンクされている。入力／出力インターフェース１００５もバス１００４にリンクされている。
【００６９】
入力部１００６（キーボード、マウス等を含む）、出力部１００７（ディスプレイ、例えば、陰極線管（ＣＲＴ）、液晶ディスプレイ（ＬＣＤ）等、スピーカー等を含む）、記憶部１００８（ハードディスク等を含む）、通信部１００９（ネットワークインターフェースカード、例えば、ＬＡＮカード、モデム等を含む）は入力／出力インターフェース１００５に接続される。通信部１００９は、ネットワーク、例えばインターネットを介して通信処理を実行する。必要に応じて、ドライバー１０１０も入力／出力インターフェース１００５に接続されてもよい。リムーバブルメディア１０１１、例えば、ディスク、光ディスク、光磁気ディスク、半導体メモリ等は、必要に応じてドライバー１０１０に装着され、その中から読み出したコンピュータプログラムが必要に応じて記憶部１００８にインストールされるようにする。
【００７０】
ソフトウェアで上記一連の処理を実現する場合、ネットワーク、例えばインターネット或いは記憶媒体、例えばリムーバブルメディア１０１１からソフトウェアを構成するプログラムをインストールする。
【００７１】
当業者であれば、このような記憶媒体は、図１０に示す、その中にプログラムが記憶され、装置に別途配分してユーザにプログラムを提供するリムーバブルメディア１０１１に限定されないことが理解される。リムーバブルメディア１０１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１００２、記憶部１００８に含まれるハードディスク等であってもよく、その中にプログラムが記憶され、且つこれらを含む装置とともにユーザに配分される。
【００７２】
本発明の実施例は、さらに、機器が読み取り可能なプログラム命令コードを記憶しているプログラム製品に関する。前記命令コードは機器に読み取られて実行される場合に、上記本発明の実施例による方法を実行できる。
【００７３】
それに対応して、上記した機器が読み取り可能な命令コードが記憶されているプログラム製品を搭載するための記憶媒体も本発明の開示に含まれる。上記記憶媒体はフロッピーディスク、光ディスク、光磁気ディスク、メモリカード、メモリースティック等を含むが、これに限られない。
【００７４】
本出願の実施例は、さらに、以下の電子機器に関する。電子機器を基地局側に応用する場合に、電子機器は、任意のタイプのｇＮＢ又は進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【００７５】
電子機器をユーザ機器側に応用する場合に、例えば、移動端末（例えば、スマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）として実現されてもよい。また、電子機器は、上記端末における端末ごとに取り付けられた無線通信モジュール（例えば、単一又は複数のチップを含む集成回路モジュール）であってもよい。
【００７６】
［端末装置の応用例］
図１１は、本開示の内容の技術を応用できるスマートフォン２５００の概略的構成を示すブロック図である。スマートフォン２５００は、プロセッサ２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２、一つ又は複数のアンテナスイッチ２５１５、一つ又は複数のアンテナ２５１６、バス２５１７、バッテリー２５１８及び補助コントローラ２５１９を含む。
【００７７】
プロセッサ２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インターフェース２５０４は、外部装置（メモリカードとユニバーサル・シリアル・バス（ＵＳＢ））をスマートフォン２５００に接続するためのインターフェースである。
【００７８】
撮像装置２５０６は画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ    Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサ群を含んでもよい。マイクロフォン２５０８はスマートフォン２５００に入力された音声をオーディオ信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカー２５１１はスマートフォン２５００から出力されたオーディオ信号を音声に変換する。
【００７９】
無線通信インターフェース２５１２は任意のセルラー通信方式（例えば、ＬＴＥ、ＬＴＥ−Ａｄｖａｎｃｅｄ）をサポートし、無線通信を実行する。無線通信インターフェース２５１２は、一般に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インターフェース２５１２はＢＢプロセッサ２５１３とＲＦ回路２５１４を集積した一つのチップモジュールであってもよい。図１１に示すように、無線通信インターフェース２５１２は複数のＢＢプロセッサ２５１３と複数のＲＦ回路２５１４を含んでもよい。図１１は無線通信インターフェース２５１２が複数のＢＢプロセッサ２５１３と複数のＲＦ回路２５１４を含む例を示したが、無線通信インターフェース２５１２は単一のＢＢプロセッサ２５１３又は単一のＲＦ回路２５１４を含んでもよい。
【００８０】
また、セルラー通信方式に加え、無線通信インターフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インターフェース２５１２は無線通信方式ごとのＢＢプロセッサ２５１３とＲＦ回路２５１４を含んでもよい。
【００８１】
アンテナスイッチ２５１５の各々は、無線通信インターフェース２５１２に含まれる複数の回路（例えば、異なる無線通信方式のための回路）の間にアンテナ２５１６の接続先を切り替える。
【００８２】
アンテナ２５１６の各々は単一の又は複数のアンテナ素子（例えば、ＭＩＭＯアンテナに含まれる複数のアンテナ素子）を含み、無線通信インターフェース２５１２による無線信号の送受信のために用いられる。図１１に示すように、スマートフォン２５００は複数のアンテナ２５１６を含んでもよい。図１１はスマートフォン２５００が複数のアンテナ２５１６を含む例を示したが、スマートフォン２５００は単一のアンテナ２５１６を含んでもよい。
【００８３】
また、スマートフォン２５００は無線通信方式ごとにアンテナ２５１６を含んでもよい。この場合、アンテナスイッチ２５１５はスマートフォン２５００の構成から省略されてもよい。
【００８４】
バス２５１７は、プロセッサ２５０１、メモリ２５０２、記憶装置２５０３、外部接続インターフェース２５０４、撮像装置２５０６、センサ２５０７、マイクロフォン２５０８、入力装置２５０９、表示装置２５１０、スピーカー２５１１、無線通信インターフェース２５１２及び補助コントローラ２５１９を互いに接続する。バッテリー２５１８は図中に破線で部分的に示した支線を介して図１１に示すスマートフォン２５００の各ブロックに電力を供給する。補助コントローラ２５１９は例えば、スリープモードにおいて、スマートフォン２５００の必要最低限の機能を動作させる。
【００８５】
図１１にスマートフォン２５００において、本発明の実施例によるユーザ機器側の装置の送受信装置、無線通信インターフェース２５１２により実現されてもよい。本発明の実施例によるユーザ機器側の電子機器又は情報処理装置の処理回路及び／又は各ユニットの機能の少なくとも一部は、プロセッサ２５０１又は補助コントローラ２５１９により実現されてもよい。例えば、補助コントローラ２５１９がプロセッサ２５０１の一部の機能を実行することでバッテリー２５１８の電力消費を低減させてもよい。また、プロセッサ２５０１又は補助コントローラ２５１９は、メモリ２５０２あるいは記憶装置２５０３に記憶されているプログラムを実行することで、本発明の実施例によるユーザ機器側の電子装置又は情報処理装置の処理回路及び／又は各ユニットの機能の少なくとも一部を実行してもよい。
【００８６】
［基地局の応用例について］
図１２は、本開示の技術を応用できるｇＮＢの概略的構成の例を示すブロック図である。ｇＮＢ２３００は、一つ又は複数のアンテナ２３１０及び基地局デバイし２３２０を含む。基地局デバイス２３２０と各アンテナ２３１０はＲＦケーブルを介して互いに接続されてもよい。
【００８７】
アンテナ２３１０の各々は、単一の又は複数のアンテナ素子（例えば、多入力多出力（ＭＩＭＯ）アンテナに含まれる複数のアンテナ素子）を含み、基地局デバイス２３２０による無線信号の送受信のために用いられる。ｇＮＢ２３００は、図１２に示すように、複数のアンテナ２３１０を含んでもよい。複数のアンテナ２３１０は、例えばｇＮＢ２３００が使用する複数の周波数帯域に共用してもよい。
【００８８】
基地局デバイス２３２０は、コントローラ２３２１、メモリ２３２２、ネットワークインターフェース２３２３、及び無線通信インターフェース２３２５を含む。
【００８９】
コントローラ２３２１は、例えばＣＰＵ又はＤＳＰであってよく、基地局デバイス２３２０の上位レイヤの様々な機能を操作する。例えば、コントローラ２３２１は、無線通信インターフェース２３２５により処理された信号内のデータからデータパケットを生成し、生成したパケットをネットワークインターフェース２３２３を介して転送する。コントローラ２３２１は、複数のベースバンドプロセッサからのデータをバンドリングすることによりバンドルドパケットを生成し、生成したバンドルドパケットを転送してもよい。また、コントローラ２３２１は、無線リソース管理、無線ベアラ制御、移動性管理、流入制御、及びスケジューリングのような制御を実行する論理的な機能を有してもよい。また、当該制御は、周辺のｇＮＢ又はコアネットワークノードと連携して実行されてもよい。メモリ２３２２は、ＲＡＭ及びＲＯＭを含み、コントローラ２３２１により実行されるプログラム、及び様々な制御データ（例えば、端末リスト、伝送電力データ及びスケジューリングデータなど）を記憶する。
【００９０】
ネットワークインターフェース２３２３は基地局デバイス２３２０をコアネットワーク２３２４に接続するための通信インターフェースである。コントローラ２３２１はネットワークインターフェース２３２３を介してコアネットワークノード又は他のｇＮＢと通信してもよい。この場合、ｇＮＢ２３００とコアネットワークノード又は他のｇＮＢとはロジックインターフェース（例えばＳ１インターフェースとＸ２インターフェース）により互いに接続される。ネットワークインターフェース２３２３は有線通信インターフェース、又は無線バックホールのための無線通信インターフェースであってもよい。ネットワークインターフェース２３２３が無線通信インターフェースであると、ネットワークインターフェース２３２３は無線通信インターフェース２３２５により使用される周波数帯域よりも高い周波数帯域を無線通信に使用してもよい。
【００９１】
無線通信インターフェース２３２５は、任意のセルラー通信方式（例えば、ＬＴＥ（Ｌｏｎｇ  Ｔｅｒｍ  Ｅｖｏｌｕｔｉｏｎ）、ＬＴＥ-Ａｄｖａｎｃｅｄ）をサポートし、アンテナ２３１０を介して、ｇＮＢ２３００のセル内に位置する端末までの無線接続を提供する。無線通信インターフェース２３２５は、一般的に、ベースバンド（ＢＢ）プロセッサ２３２６及びＲＦ回路２３２７を含んでもよい。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ２３２１の代わりに、ＢＢプロセッサ２３２６は上記ロジック機能の一部又は全部を有してもよい。ＢＢプロセッサ２３２６は通信制御プログラムを記憶するメモリであってもよく、又はプログラムを実行するように配置されるプロセッサ及び関連する回路を含むモジュールであってもよい。ＢＢプロセッサ２３２６の機能はプログラムの更新により変更可能であってもよい。当該モジュールは基地局デバイス２３２０のスロットに挿入されるカード若しくはブレードであってもよい。その代わりに、当該モジュールはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【００９２】
図１２に示すように、無線通信インターフェース２３２５は複数のＢＢプロセッサ２３２６を含んでもよい。例えば、複数のＢＢプロセッサ２３２６はｇＮＢ２３００が使用する複数の周波数帯域に共用されてもよい。図１２に示すように、無線通信インターフェース２３２５は複数のＲＦ回路２３２７を含んでもよい。例えば、複数のＲＦ回路２３２７は複数のアンテナ素子に共用されてもよい。図１２は無線通信インターフェース２３２５に複数のＢＢプロセッサ２３２６と複数のＲＦ回路２３２７とを含む例を示したが、無線通信インターフェース２３２５は単一のＢＢプロセッサ２３２６又は単一のＲＦ回路２３２７を含んでもよい。
【００９３】
図１２に示すｇＮＢ２３００において、基地局側の無線通信装置の送受信装置又は送受信ユニットは、無線通信インターフェース２３２５により実現されてもよい。基地局側の電子機器又は無線通信装置の処理回路及び／又はそれぞれのユニットの機能の少なくとも一部は、コントローラ２３２１により実現されてもよい。例えば、コントローラ２３２１は、メモリ２３２２に記憶されているプログラムを実行することで基地局側の電子機器又は無線通信装置の処理回路及び／又はそれぞれのユニットの機能の少なくとも一部を実行してもよい。
【００９４】
上記で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【００９５】
なお、用語「含む／包含」は、本文で使用される際に、特徴、要素、ステップ又はコンポーネントの存在を指すが、一つ又は複数の他の特徴、要素、ステップ又はコンポーネントの存在又は添加を排除しない。
【００９６】
上記の実施例と例において、数字からなる符号を用いてそれぞれのステップ及び／又はユニットを示した。当業者であれば、これらの符号は、記述と製図を便宜に行うために、その順序又はいかなる他の限定を示すことはない。
【００９７】
また、本発明の方法は、明細書に記述される時間順に従って実行することを限定せず、他の時間順に従って、並行又は独立に実行されることも可能である。従って、本明細書に記述される方法の実行順は、本発明の技術的範囲を制限しない。
【００９８】
以上に本発明の具体的な実施例についての記述にて本発明を開示したが、上記の全ての実施例と例は例示的であり、制限しないと理解される。当業者は付随する特許請求の精神と範囲において、本発明に対する各種の修正、改進又は均等物を設計することができる。これらの修正、改進又は均等物も本発明の保護範囲に該当することは明らかである。
【図１】
2021523587.tif 000003
【図２】
2021523587.tif 000004
【図３】
2021523587.tif 000005
【図４】
2021523587.tif 000006
【図５】
2021523587.tif 000007
【図６】
2021523587.tif 000008
【図７】
2021523587.tif 000009
【図８】
2021523587.tif 000010
【図９】
2021523587.tif 000011
【図１０】
2021523587.tif 000012
【図１１】
2021523587.tif 000013
【図１２】
2021523587.tif 000014
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
処理回路を含む無線通信のための電子機器であって、
前記処理回路は、
アンライセンスバンド上の予め割り当てられた複数のリソースブロックから自動アップリンク伝送に使用するリソースブロックを選択し、
選択されたリソースブロックを利用して前記自動アップリンク伝送を行うように、制御を実行する、ように配置される電子機器。
【請求項２】
前記処理回路は、
前記複数のリソースブロックのそれぞれの優先度を決定し、決定された優先度に基づいて、前記自動アップリンク伝送に使用するリソースブロックを選択するように配置される請求項１に記載の電子機器。
【請求項３】
前記処理回路は、
複数のタイプのアップリンクサービスのそれぞれについて、前記優先度をそれぞれ決定し、決定された優先度に基づいて、相応するタイプのアップリンクサービスに使用するリソースブロックを選択するように配置される請求項２に記載の電子機器。
【請求項４】
前記複数のタイプのアップリンクサービスは、時間遅延及び／又は伝送データ量に関して異なる要求を有するアップリンクサービスを含む請求項３に記載の電子機器。
【請求項５】
前記複数のタイプのアップリンクサービスは、超高信頼・低遅延通信ＵＲＬＬＣサービスと、拡張モバイルブロードバンドｅＭＢＢサービスとを含む請求項３に記載の電子機器。
【請求項６】
前記処理回路は、
ＵＲＬＬＣサービスについて、低い時間遅延を有するリソースブロックに高い優先度を設置し、
ｅＭＢＢサービスについて、大きいリソースブロックに高い優先度を設置する、ように配置される請求項５に記載の電子機器。
【請求項７】
前記処理回路は、
ＵＲＬＬＣサービスについて、小さい最大チャネル占有時間ＭＣＯＴを有するリソースブロックに高い優先度を設置するように配置される請求項６に記載の電子機器。
【請求項８】
前記処理回路は、
前記複数のリソースブロックのそれぞれに対して第１のリッスンビフォアトークを行い、前記第１のリッスンビフォアトークの結果に基づいて前記優先度を決定するように配置される請求項２に記載の電子機器。
【請求項９】
前記処理回路は、さらに、
選択されたリソースブロックを利用してアップリンク伝送を行う前に、選択されたリソースブロックに対して第２のリッスンビフォアトークを行うように配置される請求項８に記載の電子機器。
【請求項１０】
前記処理回路は、さらに、
前記第２のリッスンビフォアトークが失敗した場合、又は、アップリンク伝送が失敗した場合、選択されたリソースブロックよりも優先度が低い別のリソースブロックを利用してアップリンク伝送を行う、ように配置される請求項９に記載の電子機器。
【請求項１１】
前記処理回路は、さらに、
異なるタイプのアップリンクサービスについて、前記第２のリッスンビフォアトークに異なる開始タイミングを設置するように配置される請求項９に記載の電子機器。
【請求項１２】
前記処理回路は、
ＵＲＬＬＣサービスに用いられる前記第２のリッスンビフォアトークの開始タイミングを、ｅＭＢＢサービスに用いられる前記第２のリッスンビフォアトークの開始タイミングよりも早く設置するように配置される請求項１１に記載の電子機器。
【請求項１３】
前記複数のリソースブロックは、基地局によって複数のユーザ機器に共同で割り当てられる請求項１に記載の電子機器。
【請求項１４】
前記複数のリソースブロックは、基地局によって無線リソース制御シグナリングを介して割り当てられる請求項１３に記載の電子機器。
【請求項１５】
無線通信方法であって、
アンライセンスバンド上の予め割り当てられた複数のリソースブロックから自動アップリンク伝送に使用するリソースブロックを選択し、
選択されたリソースブロックを利用して前記自動アップリンク伝送を行う、ことを含む無線通信方法。
【請求項１６】
処理回路を含む無線通信のための電子機器であって、
前記処理回路は、
複数のユーザ機器にアンライセンスバンド上の複数のリソースブロックを共同で割り当て、
前記複数のユーザ機器のうちの１つが前記複数のリソースブロックの中から選択されたリソースブロックを利用して行うアップリンク伝送を受信するように、制御を実行する、ように配置され、
前記複数のリソースブロックは、自動アップリンク伝送に用いられる電子機器。
【請求項１７】
前記処理回路は、
無線リソース制御シグナリングを介して前記複数のユーザ機器に前記複数のリソースブロックを通知するように、制御を実行するように配置される請求項１６に記載の電子機器。
【請求項１８】
前記処理回路は、さらに、
割り当てられた前記複数のリソースブロックのそれぞれに優先度を指定し、決定された優先度を前記複数のユーザ機器に通知するように配置される請求項１６に記載の電子機器。
【請求項１９】
前記処理回路は、さらに、
前記複数のリソースブロックを決定し、決定された複数のリソースブロックに、時間遅延及び／又は伝送データ量に関して異なる要求を有するアップリンクサービスにそれぞれ適用するリソースブロックを含ませるように配置される請求項１６に記載の電子機器。
【国際調査報告】
2021523587.tif 000015
2021523587.tif 000016
2021523587.tif 000017
2021523587.tif 000018
2021523587.tif 000019
2021523587.tif 000020